(57)【要約】【課題】十分な明るさが得られるとともに、消費電力が低い液晶表示装置を提供する。【解決手段】互いに対向するアレイ基板２およびＣＦ基板４と、アレイ基板２およびＣＦ基板４間に挟持され屈折率異方性媒体からなる液晶層ＬＱと、を有し、マトリクス状に配置された複数の表示画素ＰＸからなる表示部ＤＳＰを有する液晶表示装置であって、液晶層ＬＱは、各表示画素ＰＸ内に第１層ＬＱ１と、第２層ＬＱ２と、を有し、第１層ＬＱ１と第２層ＬＱ２との境界面は、アレイ基板２およびＣＦ基板４の基板面の法線に対して傾斜し、第１層ＬＱ１と第２層ＬＱ２との屈折率差を電界制御可能な液晶表示装置。【選択図】図４
2008102289.tif 000002
【特許請求の範囲】
【請求項１】
互いに対向する第１基板および第２基板と、
前記第１基板および第２基板間に挟持され屈折率異方性媒体からなる液晶層と、を有し、
マトリクス状に配置された複数の表示画素からなる表示部を有する液晶表示装置であって、
前記液晶層は、各表示画素内に第１層と、第２層と、を有し、
前記第１層と前記第２層との境界面は、前記第１基板および第２基板の基板面の法線に対して傾斜し、
前記第１層と前記第２層との屈折率差を電界制御可能な液晶表示装置。
【請求項２】
前記第１層は、印加電圧にかかわらず屈折率が一定であって、
前記第２層は、印加電圧によって屈折率を制御可能である請求項１記載の液晶表示装置。
【請求項３】
前記液晶層に所定の印加電圧が印加された際に、前記第１層の屈折率と、前記第２層の屈折率とが略同一となる請求項１記載の液晶表示装置。
【請求項４】
前記第１基板は、前記第２基板側から前記液晶層に入射した光を、前記第２基板側に反射する反射体を有している請求項１記載の液晶表示装置。
【請求項５】
前記第１層および前記第２層の遅相軸方向は、前記第１基板および第２基板の基板面に対して略平行な方向であって、
前記第１層および前記第２層に所定の電圧を印加した状態で、前記第１層の遅相軸方向と、前記第２層の遅相軸方向とが互いに略直交する請求項１記載の液晶表示装置。
【請求項６】
前記表示部を囲むように配置された吸収体をさらに有している請求項１記載の液晶表示装置。
【請求項７】
黒表示状態において、前記屈折率異方性媒体の屈折率異方性、および、前記第１層と前記第２層との境界面が前記第１基板および第２基板の基板面に対して成す角は、前記液晶層に入射した光が前記境界面で全反射するように定められている請求項１記載の液晶表示装置。
【請求項８】
前記第１層および第２層の屈折率異方性が０．１５以上である請求項７記載の液晶表示装置。
【請求項９】
前記境界面は、前記第１基板および第２基板の基板面対して２０°〜６０°を成している請求項７記載の液晶表示装置。
【請求項１０】
前記境界面の間隔は、３０μｍ以下である請求項１記載の液晶表示装置。
【請求項１１】
前記第１層は液晶性ポリマー層であり、前記第２層はネマティック液晶層である請求項１記載の液晶表示装置。
【発明の詳細な説明】
【技術分野】
【０００１】
本発明は、液晶表示装置に関し、特に、反射型液晶表示装置および半透過型液晶表示装置に関する。
【背景技術】
【０００２】
近年、液晶表示装置はノートパソコン、モニタ、カーナビゲーション、関数電卓、中小型ＴＶなど様々な分野に応用されている。なかでも反射型液晶表示装置は、バックライトが不要であることから低消費電力、かつ、薄型軽量といった利点を活かすべく携帯機器用ディスプレイ等に応用されている。
【０００３】
しかしながら、従来の反射型液晶表示装置は、紙、印刷等と比較して明るさの点で劣る表示性能である。また、反射及び透過表示可能な液晶表示装置も携帯機器用ディスプレイに応用されている。また、電池等を電源とするため、十分な駆動時間を得ようとするとバックライトの輝度を下げざるをえず、十分な明るさが得られない。このように、液晶表示装置の明るさが不十分である主要因は、２つある。
【０００４】
１つは、表示の明暗を制御するのに必要な部材、例えば、ＴＮモードやＥＣＢモードの液晶表示装置で用いる偏光板や、ＧＨモードの液晶表示装置で用いる液晶に添加した染料による光吸収である。もう１つは表示に色を付ける手段として、例えば、カラーフィルタ方式（加法混色）等の特定波長を吸収する方法を用いた場合である。
【０００５】
従来、これらの問題を解決する手段として高分子分散型液晶（ＰＤＬＣ：Polymer Dispersed Liquid Crystal）に代表される散乱型液晶表示装置がある。ランダム配列された液晶と屈折率異方性のない等方層との屈折率差、若しくは、ランダム配列された液晶分子同志の屈折率差によって、入射した光の散乱および散乱反射を利用するものである。
【０００６】
この散乱型液晶表示装置を反射型の液晶表示装置として用いる場合、散乱反射で明状態となる。液晶層に電界を印加して、光が入射する方向に対して等方層と液晶層の屈折率を等しくする、若しくは、液晶層の分子間の屈折率を等しくし、液晶表示装置の後側に配置した遮光層にて入射光を吸収し暗状態を得ている（特許文献１参照）。
【特許文献１】特開平１１−３８４５２号公報
【発明の開示】
【発明が解決しようとする課題】
【０００７】
しかしながら、散乱型液晶表示装置におけるランダム配列された液晶と屈折率異方性のない等方層との屈折率差は、液晶分子の異常光屈折率と常光屈折率の平均値と常光屈折率の差しか得られず、現在実用的に用いられる液晶材料では、大きくても０．１３程度しか得られない。
【０００８】
このため、十分な反射率を得るには液晶層の厚みを厚くする必要があり、駆動電圧が著しく高くなる。また、透過型として用いる場合も、散乱反射で暗状態を得ているがＬ反射型同様、十分なコントラストを得るには厚みを厚くする必要があり、駆動電圧が著しく高くなる。
【０００９】
従って、散乱型液晶表示装置を反射型として用いる場合であっても、透過型として用いる場合であっても、消費電力が高くなってしまう場合があった。
【００１０】
また、従来の散乱型液晶表示装置は反射型として用いた場合、十分な明るさが得られず、結果的にコントラスト比も不十分なものであった。また、透過型として用いた場合、コントラスト比が不十分である問題があった。
【００１１】
本発明は上記の問題点に鑑みて成されたものであって、十分な明るさが得られるとともに、消費電力が低い液晶表示装置を提供することを目的としている。
【課題を解決するための手段】
【００１２】
本発明の態様による液晶表示装置は、互いに対向する第１基板および第２基板と、前記第１基板および第２基板間に挟持され屈折率異方性媒体からなる液晶層と、を有し、マトリクス状に配置された複数の表示画素からなる表示部を有する液晶表示装置であって、前記液晶層は、各表示画素内に第１層と、第２層と、を有し、前記第１層と前記第２層との境界面は、前記第１基板および第２基板の基板面の法線に対して傾斜し、前記第１層と前記第２層との屈折率差を電界制御可能である。
【発明の効果】
【００１３】
本発明によれば、十分な明るさが得られるとともに、消費電力が低い液晶表示装置を提供することができる。
【発明を実施するための最良の形態】
【００１４】
以下に、本発明の一実施形態に係る液晶表示装置について図面を参照して説明する。図１に示すように、本実施形態に係る液晶表示装置は互いに対向する一対の基板、すなわち、アレイ基板２とＣＦ基板４とを有する反射型の液晶表示パネルＬＰＮを有している。この液晶表示パネルＬＰＮは、アレイ２基板およびＣＦ基板４間に挟持され屈折率異方性を有する液晶分子からなる液晶層ＬＱと、マトリクス状に配置された複数の表示画素ＰＸからなる表示部ＤＳＰとを有している。
【００１５】
図２に示すように、アレイ基板２は、表示画素ＰＸの配列する列に沿って配置された複数の信号線Ｘ（Ｘ１〜Ｘｍ）および表示画素ＰＸの配列する行に沿って配置された複数の走査線Ｙ（Ｙ１〜Ｙｎ）、信号線Ｘと走査線Ｙとの交差部近傍に配置された画素スイッチＳＷを有している。
【００１６】
画素スイッチＳＷのゲート電極は、対応する走査線Ｙに接続されている（あるいは、一体に形成されている）。画素スイッチＳＷのソース電極は、対応する信号線Ｘに接続されている（あるいは一体に形成されている）。画素スイッチＳＷのドレイン電極は、画素電極ＰＥに接続されている（あるいは一体に形成されている）。また、アレイ基板２は、走査線Ｙに対して略平行に延びる共通配線Ｃ（Ｃ１〜Ｃｎ）を有している。
【００１７】
表示部ＤＳＰの周囲には、信号線Ｘに接続された信号線駆動回路ＸＤおよび、走査線Ｙに接続された走査線駆動回路ＹＤが配置されている。走査線駆動回路ＹＤは、走査線Ｙに選択信号を順次選択し、行毎に画素スイッチＳＷを導通させる。信号線駆動回路ＸＤは、それぞれの信号線Ｘに対応した画像信号を順次送信する。
【００１８】
共通配線Ｃは、例えば図３に示すように、信号線Ｘに沿って延びる共通電極ＣＥを有している。図３に示す場合では、各表示画素ＰＸにおいて、画素電極ＰＥと共通電極ＣＥとが互いに平行に延びて配置されている。このときに、画素スイッチＳＷを介して画素電極ＰＥに画像信号が送信され、共通電極ＣＥに共通信号が送信されると、画素電極ＰＥと共通電極ＣＥとの間にアレイ基板２の基板面に対して略平行に電界が生じる。
【００１９】
他方、ＣＦ基板４には、着色層としてカラーフィルタＣＦがガラス基板等の光透過性絶縁基板上に配置されている。カラーフィルタＣＦは、各表示画素ＰＸに対する赤カラーフィルタ層、緑カラーフィルタ層、および青カラーフィルタ層（図示せず）により構成されている。各色カラーフィルタは、所定の順に、複数の表示画素の行および列方向に並んでいる。
【００２０】
アレイ基板２とＣＦ基板４との間に挟持された液晶層ＬＱは、第１層ＬＱ１および第２層ＬＱ２を有している。これらの第１層ＬＱ１および第２層ＬＱ２は、図４および図６に示すように、これらの境界面がアレイ基板２およびＣＦ基板４の基板面の法線に対して傾斜するように配置されている。また、アレイ基板２は、ＣＦ基板４側から液晶層ＬＱに入射した光を、ＣＦ基板４側に反射する反射体（図示せず）を有している。
【００２１】
また、本実施形態では、第１層ＬＱ１はネマティック液晶を架橋させ、ポリマー課したネマティック液晶ポリマー層である。第２層ＬＱ２は、架橋していないネマティック液晶層である。
【００２２】
本実施形態に係る液晶表示パネルＬＰＮでは、第１層ＬＱ１および第２層ＬＱ２に含まれる液晶分子は、その長軸がアレイ基板２の基板面に対して略平行となるホモジニアス配列となっている。
【００２３】
ここで、アレイ基板２の基板面に対して略平行な面内において、第１層ＬＱ１に含まれる液晶分子の長軸方位の屈折率をｎｅ、これと略直交する方位の屈折率をｎｏとする。このとき、電圧を印加していない場合は、第１層ＬＱ１および第２層ＬＱ２内、の屈折率は方位にかかわらず、ほぼ一様となる。すなわち、第１層ＬＱ１と第２層ＬＱ２との屈折率異方性Δｎ（Δｎ＝ｎｅ−ｎｏ）は、図４および図５に示すようになる。
【００２４】
ここで、この第１層ＬＱ１および第２層ＬＱ２に入射した光は第１層ＬＱ１をそのまま透過する。すなわち、このときに、第１層ＬＱ１と第２層ＬＱ２との屈折率が略同一になるために、液晶層ＬＱに入射した光は、第１層ＬＱ１と第２層ＬＱ２との境界面で反射することがない。従って、ＣＦ基板４から入射した光、つまり、外光はアレイ基板２の反射体で反射され再びＣＦ基板４から出射される。そうすると、表示部ＤＳＰには白レベルで画像が表示される。
【００２５】
一方、画素電極ＰＥと共通電極ＣＥとに電圧を印加すると、上述の様に、画素電極ＰＥと共通電極ＣＥとの間に、アレイ基板２およびＣＦ基板４の基板面に略平行な電界が生じる。ここで、本実施形態では、第１層ＬＱ１は印加電圧にかかわらず屈折率が一定であって、第２層ＬＱ２は、印加電圧によってその屈折率を制御可能である。そうすると、第２層ＬＱ２、すなわちネマティック液晶層内の液晶分子は、その長軸が第１層ＬＱ１の液晶分子の長軸に対して概略直交するように配向する。
【００２６】
このとき、電界を印加された第２層ＬＱ２に含まれる液晶分子の長軸は、電界により第１層ＬＱ１に含まれる液晶分子の長軸と概略直交する方向に配向制御される。すなわち、第１層ＬＱ１の遅相軸方向と、第２層ＬＱ２の遅相軸方向とは互いに略直交している。このとき、第１層ＬＱ１と第２層ＬＱ２との屈折率異方性Δｎは、図６および図７に示すようになる。
【００２７】
ここで、屈折率ｎｅ、屈折率ｎｏ、およびアレイ基板２の法線方向に対する第１層ＬＱ１および第２層ＬＱ２の境界面の成す角θが全反射条件（ｓｉｎθ＜ｎｅ／ｎｏ）を満たすようにした場合、図６に示すように、外光は第１層ＬＱ１と第２層ＬＱ２との層界面で全反射する。
【００２８】
そうすると、ＣＦ基板４側から液晶層ＬＱに入射した外光は、再びＣＦ基板４から出射されることなく、表示部ＤＳＰには黒表示レベルで画像が表示されることになる。
【００２９】
上記のような表示方式を採用すると、液晶表示パネルＬＰＮに偏光板を取り付ける必要がなくなる。そのため、偏光板を用いる場合に比べて、非常に明るい反射表示が可能となる。また、液晶層ＬＱを厚くする必要がなくなるため、消費電力が低い液晶表示装置を提供することができる。以下に、本発明の実施例について図面を用いて説明する。
【００３０】
（第１実施例）
図８は、本発明の一実施例に係る反射型液晶表示パネルＬＰＮの断面図を示す。図８に示すように、本実施例に係る液晶表示パネルＬＰＮは、前述の実施形態に係る液晶表示パネルＬＰＮのように、アレイ基板２とＣＦ基板４とを有している。アレイ基板２およびＣＦ基板４間には、屈折率異方性を有する液晶分子からなる液晶層ＬＱが挟持されている。
【００３１】
液晶層ＬＱは、第１層ＬＱ１と第２層ＬＱ２とを有している。第１層ＬＱ１は、ネマティック液晶滴を含む液晶ポリマー層であって、第２層ＬＱ２は、ネマティック液晶層である。アレイ基板２には、ドレイン電極ＤＥおよび共通電極ＣＥが配置されている。ドレイン電極ＤＥと共通電極ＣＥとに電圧が印加されると、アレイ基板２の基板面に対して略平行な方向に電界が生じ、この電界によって第２層ＬＱ２に含まれる液晶分子の配向方位が制御される。
【００３２】
また、本実施例に係る液晶表示パネルＬＰＮの場合、ＣＦ基板４は反射防止膜ＡＲＦを有している。さらに、表示部ＤＳＰの周囲に配置された吸収体ＡＰを有している。
【００３３】
この反射型液晶表示パネルＬＰＮの製造手順を以下に示す。まず、アレイ基板２を形成する。すなわち、ガラス等の絶縁性基板上に通常のＴＦＴプロセスにより、画素スイッチＳＷ（ＴＦＴ素子）のドレイン電極ＤＥ、共通電極ＣＥ、信号線Ｘ、走査線Ｙ、反射板（図示せず）、およびパタン形成したスペーサを形成し、ＩＰＳ（Ｉｎ  Ｐｌａｎｅ  Ｓｗｉｔｃｈｉｎｇ）型のＴＦＴ基板を形成する。このときに、画素電極ＰＥは、画素スイッチＳＷのドレイン電極ＤＥと一体に形成される。
【００３４】
本実施例にかかる液晶表示パネルＬＰＮでは、いずれの電極も最表面には２層クロムを用いて反射率を低減してある。
【００３５】
一方、ＣＦ基板４形成する。すなわち、ＣＦ基板４上には、赤色の顔料を分散させた感光性レジストを塗布し、フォトリソグラフィにより赤カラーフィルタ層を形成する。同様にして、緑カラーフィルタ層、及び青カラーフィルタ層をそれぞれ形成した。
【００３６】
その後、双方の基板２、４の表示領域全域を覆うように水平配向膜（図示せず）を印刷する。なお、本実施例に係る液晶表示パネルＬＰＮでは、配向膜としてとして（株）ＪＳＲ製ＡＬ３４５６を印刷し、１８０℃で３０分の焼成を施して６００Åの膜厚となる水平配向膜を得る。その後、双方の基板２、４をラビングする。
【００３７】
アレイ基板２のラビング方向はドレイン電極ＤＥや共通電極ＣＥと平行な方位、すなわち、ドレイン電極ＤＥおよび共通電極ＣＥ間に生じる電界とは直交した方位である。また、ＣＦ基板４のラビング方向は、アレイ基板２のラビング方向とアンチパラレルとなる方位である。
【００３８】
その後、アレイ基板２上に屈折率異方性Δｎ＝０．２のネマティック液晶ポリマーを５μｍの厚さに塗布し、２０μｍ幅のストライプ状にパターニングしたマスクを通して基板面法線より斜め７０°の方向から紫外線を照射し液晶ポリマーをパターニングした。
【００３９】
その後、アレイ基板２に周辺シール剤を塗布し、Δｎ＝０．２のネマティック液晶を滴下して、その上からＣＦ基板４を重ね合わせ紫外線を照射することによりシール剤を硬化させる。このように、第１層ＬＱ１および第２層ＬＱ２の境界面の間隔ａが２０μｍであって、アレイ基板２の基板面に対する第１層ＬＱ１と第２層ＬＱ２との境界面のなす角θが概略２０°である液晶表示パネルＬＰＮを形成した。さらに駆動回路を組み込み液晶表示装置を作製した。
【００４０】
上記のように得られた本実施例の反射型液晶表示装置の光学特性を評価したところ、反射率は標準白色板の９０％、白と黒のコントラスト比は５０：１を得た。
【００４１】
（第２実施例）
次に、本発明の一実施形態の他の例について説明する。ＣＦ基板４及びアレイ基板２は第１実施例と同様のものを用いた。本実施例では、アレイ基板２上に液晶ポリマーを５μ厚に塗布し紫外線により硬化させ々その後、リアクティブイオンエッチング（ＲＩＥ）により、第１実施例と同様の形状にパターニングした。その後も第１実施例と同様にして液晶モジュールを作製した。
【００４２】
上記の様に製造された本実施例に係る反射型液晶表示装置の光学特性を評価したところ、実施例１と同様、反射率は標準白色板の９０％、白と黒のコントラスト比は５０：１を得た。
【００４３】
（第１比較例）
次に、本発明の第１比較例に係る液晶表示装置について説明する。本比較例では、液晶ポリマーをパターニングするときの紫外線照射方向を変えたこと以外は、第１実施例と同様のプロセスで液晶表示装置を製造した。すなわち、本比較例では、アレイ基板２の基板面と第１層ＬＱ１および第２層ＬＱ２の境界面とのなす角を１０°、４５°、６０°、７０°、８０°の５種類の液晶表示パネルＬＰＮを製造した。
【００４４】
上記の液晶表示パネルＬＰＮを有する液晶表示装置の評価を行い、反射率、コントラストを比較した結果を図１０および図１１に示す。図１０および図１１に示すように、第１実施例の評価結果と第１比較例の評価結果とから、アレイ基板２の基板面と第１層ＬＱ１および第２層ＬＱ２の境界面とがなす角を２０°〜６０°として液晶表示装置について反射率とコントラストとの特性が比較的良好であった。
【００４５】
（第２比較例）
次に、本発明の第２比較例に係る液晶表示装置について説明する。本比較例では、アレイ基板２の基板面と第１層ＬＱ１および第２層ＬＱ２の境界面とのなす角を２０°とし、第１層および第２層の屈折率異方性を変化させること以外は、第１実施例と同じプロセスで液晶表示装置を製造した。すなわち、屈折率異方性Δｎが、それぞれ０．１、０．１５、０．２、０．２５の４種類の液晶を用いて液晶表示パネルＬＰＮを製造した。
【００４６】
上記の液晶表示パネルＬＰＮを有する液晶表示装置について、反射率とコントラストを測定した結果を図１２および図１３に示す。図１２および図１３に示すように、第１実施例の評価結果と第２比較例の評価結果から、屈折率異方性Δｎが０．１５以上の場合において反射率とコントラストの特性が比較的良好であった。
【００４７】
（第３比較例）
次に本発明の第３比較例について説明する。本比較例では、基板面と第１層ＬＱ１および第２層ＬＱ２の境界面とのなす角を２０°とし、第１層ＬＱ１および第２層ＬＱ２の第１層ＬＱ１および第２層ＬＱ２の境界面の間隔ａを変化させた以外は第１実施例と同じプロセスで液晶表示装置を製造した。すなわち、本比較例では、間隔ａが、それぞれ５、１０、２０、３０、５０、７０μｍとなるようなマスクを使用し、６種類の液晶表示パネルＬＰＮを製造した。
【００４８】
これらの液晶表示パネルＬＰＮを評価し、反射率、コントラストを比較した。評価結果を図１４および図１５に示す。図１４および図１５に示すように、第１実施例の評価結果と本比較例の評価結果とから、間隔ａが２０μｍ以下で反射率とコントラストの特性が良好であった。
【００４９】
すなわち、上記の実施例および比較例の評価結果から、前述の本発明の一実施形態に係る液晶表示装置によれば、十分な明るさが得られるとともに、消費電力が低い液晶表示装置を提供することができる。
【００５０】
なお、この発明は、上記実施形態そのままに限定されるものではなく、実施段階ではその要旨を逸脱しない範囲で構成要素を変形して具体化できる。例えば、上記の実施形態および実施例では、第１層ＬＱ１および第２層ＬＱ２の境界面の間隔が、等しくなっているが、これに限らず、境界面の間隔を不均一にしても良い。
【００５１】
また、上記の実施形態および実施例では、液晶層ＬＱに電圧を印加した際に、第１層ＬＱ１と第２層ＬＱ２との屈折率が略同一になる場合について説明したが、これに限らず、第１層ＬＱ１の屈折率と第２層ＬＱ２の屈折率との屈折率差が所定の値以下になる場合には上記の実施形態および実施例と同様の効果を得ることができる。
【００５２】
また、上記の実施形態および実施例では、液晶表示パネルＬＰＮが反射型である場合について説明したが、透過型および半透過型に適応した場合であっても偏光板を用いずに明るい表示が得られる。
【００５３】
また、上記の実施形態および実施例のように、アレイ基板２およびＣＦ基板４の一つの法線が、第１層ＬＱ１および第２層ＬＱ２の境界面と複数回交わるように、第１層ＬＱ１および第２層ＬＱ２を配置することが望ましい。しかし、これに限らず、液晶層ＬＱに入射した光が少なくとも１回、第１層ＬＱ１および第２層ＬＱ２の境界面を通過若しくはその境界面で全反射するように、第１層ＬＱ１および第２層ＬＱ２が配置されていれば良い。
【００５４】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５５】
【図１】本発明の一実施形態に係る液晶表示装置の一例を概略的に示す図。
【図２】図１に示す液晶表示装置の構成例を説明するための図。
【図３】図１に示す液晶表示装置の構成例を説明するための図。
【図４】図１に示す液晶表示装置において液晶層に電圧を印加していない状態での画像表示について説明するための断面図。
【図５】図４に示す液晶表示装置を線Ａ−Ａで切断した時の断面図。
【図６】図１に示す液晶表示装置において液晶層に電圧を印加している状態の画像表示について説明するための断面図。
【図７】図６に示す液晶表示装置を線Ｂ−Ｂで切断した時の断面図。
【図８】本発明の第１実施例に係る液晶表示装置において液晶層に電圧を印加していない状態での構成例を説明するための断面図。
【図９】本発明の第１実施例に係る液晶表示装置において液晶層に電圧を印加している状態での構成例を説明するための断面図。
【図１０】本発明の第１比較例に係る液晶表示装置についての評価結果を示す図。
【図１１】本発明の第１比較例に係る液晶表示装置についての評価結果を示す図。
【図１２】本発明の第２比較例に係る液晶表示装置についての評価結果を示す図。
【図１３】本発明の第２比較例に係る液晶表示装置についての評価結果を示す図。
【図１４】本発明の第３比較例に係る液晶表示装置についての評価結果を示す図。
【図１５】本発明の第３比較例に係る液晶表示装置についての評価結果を示す図。
【符号の説明】
【００５６】
２…アレイ基板、ＬＱ…液晶層、ＬＱ１…第１層、ＬＱ２…第２層、４…ＣＦ基板、ＬＰＮ…液晶表示パネル。ＤＳＰ…表示部、ＰＸ…表示画素
【図１】
2008102289.tif 000003
【図２】
2008102289.tif 000004
【図３】
2008102289.tif 000005
【図４】
2008102289.tif 000006
【図５】
2008102289.tif 000007
【図６】
2008102289.tif 000008
【図７】
2008102289.tif 000009
【図８】
2008102289.tif 000010
【図９】
2008102289.tif 000011
【図１０】
2008102289.tif 000012
【図１１】
2008102289.tif 000013
【図１２】
2008102289.tif 000014
【図１３】
2008102289.tif 000015
【図１４】
2008102289.tif 000016
【図１５】
2008102289.tif 000017